【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】
【請求項１】  入力操作を行う入力手段と、電子文書および印鑑や印章等の物理的承認道具の印影を表示する表示手段と、前記入力手段から入力された情報に基づき演算処理を実行する演算処理手段と、電子情報を一時的に格納するメモリと、電子情報を記録して格納する記録手段と、外部機器との電気的接続を行うインターフェース手段とを具備することを特徴とする電子文書承認システム。
【請求項２】  前記インターフェース手段を介して外部機器と電気的に接続し、前記電子文書の承認後、承認済みの電子文書を前記インターフェース手段を介して電気的に接続された外部機器への送信および外部機器からの受信を可能に構成したことを特徴とする請求項１記載の電子文書承認システム。
【請求項３】  前記インターフェース手段を介して外部機器と電気的に接続し、前記電子文書の承認後、前記インターフェース手段を介して電気的に接続された外部機器のうち、データ保存許可のあった外部機器において承認済みの電子文書を保存することを可能に構成したことを特徴とする請求項１記載の電子文書承認システム。
【請求項４】  前記入力手段は、前記物理的承認道具の印影を取り込むための押印受付手段と、前記押印受付手段で取り込んだ印影を表示する位置を入力する表示位置入力手段と、前記演算処理装置に処理操作の実行を指示する実行指示手段とを備えることを特徴とする請求項２又は３記載の電子文書承認システム。
【請求項５】  入力操作を行う入力手段から印鑑や印章等の物理的承認道具の印影を入力すると、承認を行う電子文書に前記印影を表示手段に表示し、第三者の改竄を検出可能な処理を施す承認電子化手段と、
前記承認電子化手段で承認済みの承認済み電子文書を保存および終了要求のうち一方が入力されると、前記承認済み電子文書の改竄の有無を検出する改竄検出手段とを具備することを特徴とする電子文書承認システム。
【請求項６】  前記承認電子化手段は、入力された前記物理的承認道具の印影を取得して電子文書に印影情報を埋め込む印影情報生成手段と、
前記入力手段から前記電子文書上の印影の位置を入力操作することで、入力された位置に前記電子文書上の印影を移動させる印影位置調整手段と、
前記入力手段から前記電子文書上の印影の位置を決定する入力操作をすることによって、前記電子文書の文書識別情報を前記印影情報と共に前記電子文書に埋め込む文書識別情報埋込手段とを備えることを特徴とする請求項５に記載の電子文書承認システム。
【請求項７】  前記改竄検出手段は、前記承認済み電子文書から文書識別情報を抽出する文書識別情報抽出手段と、
前記承認済み電子文書から前記承認済み電子文書に埋め込まれた文書識別情報を読み取る文書識別情報読取手段と、
前記文書識別情報抽出手段で抽出した文書識別情報と前記文書識別情報読取手段で読み取った文書識別情報とを比較する文書識別情報比較手段と、
前記文書識別情報比較手段で比較した文書識別情報が異なる場合に、前記承認済み電子文書に改竄があった旨を通知する改竄通知手段とを備えることを特徴とする請求項５に記載の電子文書承認システム。
【請求項８】  承認対象となる電子文書を開いて、印鑑や印章等の物理的承認道具を用いて電子文書の承認を行う電子文書の承認作業ステップであり、この承認作業ステップは、
前記物理的承認道具の印影を取得して、印影情報を前記承認対象の電子文書に埋め込む印影取得処理操作ステップと、
前記印影取得処理操作ステップで前記承認対象の電子文書に埋め込まれた印影の位置を調整して位置を決定する印影位置決定処理操作ステップと、
前記承認対象の電子文書に文書識別情報を埋め込む文書識別情報取得処理操作ステップとを具備し、前記承認作業ステップ後に前記承認対象となる電子文書を保存および終了の一方を行うと、前記承認対象となる電子文書が改竄されているか否かを検出する電子文書改竄検出処理操作ステップを実行することを特徴とする電子文書承認方法。
【請求項９】  前記入力手段から前記物理的承認具の印影を入力すると、承認を行う電子文書に前記印影を表示し、第三者の改竄を検出可能な処理を施す承認電子化手段と、
前記承認電子化手段で承認済みの承認済み電子文書を保存および終了要求のうち一方が入力されると、前記承認済み電子文書の改竄の有無を検出する改竄検出手段としてコンピュータを機能させるプログラム。
【請求項１０】  前記承認電子化手段は、入力された前記物理的承認道具の印影を取得して電子文書に印影情報を埋め込む印影情報生成手段と、
前記入力手段から前記電子文書上の印影の位置を入力操作することで、入力された位置に前記電子文書上の印影を移動させる印影位置調整手段と、
前記入力手段から前記電子文書上の印影の位置を決定する入力操作をすることによって、前記電子文書の文書識別情報を前記印影情報と共に前記電子文書に埋め込む文書識別情報埋込手段とを備えることを特徴とする請求項９に記載のプログラム。
【請求項１１】  前記改竄検出手段は、前記承認済み電子文書から文書識別情報を抽出する文書識別情報抽出手段と、
前記承認済み電子文書から前記承認済み電子文書に埋め込まれた文書識別情報を読み取る文書識別情報読取手段と、
前記文書識別情報抽出手段で抽出した文書識別情報と前記文書識別情報読取手段で読み取った文書識別情報とを比較する文書識別情報比較手段と、
前記文書識別情報比較手段で比較した文書識別情報が異なる場合に、前記承認済み電子文書に改竄があった旨を通知する改竄通知手段とを備えることを特徴とする請求項９に記載のプログラム。
【請求項１２】  物理的承認道具により承認を受付ける承認受付手段と、
前記承認受付手段により承認を受付けると電子文書ファイルに承認情報を埋め込む承認情報生成手段と、
前記承認情報を埋め込んだ電子文書ファイルから識別情報を取得する識別情報取得手段とを具備したことを特徴とする電子文書承認システム。
【請求項１３】  前記承認情報を埋め込んだ電子文書ファイルから識別情報を抽出する識別情報抽出手段と、
前記識別情報取得手段で取得した識別情報と前記識別情報抽出手段で抽出した識別情報とを比較して電子文書ファイルに対する改竄の有無を判断する識別情報比較手段とを具備したことを特徴とする請求項１２に記載の電子文書承認システム。
【請求項１４】  前記承認情報を埋め込んだ電子文書ファイルに前記識別情報を埋め込む識別情報埋込手段を具備したことを特徴とする請求項１２または１３に記載の電子文書承認システム。
【請求項１５】  前記識別情報は、一方向要約関数に基づく演算によって取得されることを特徴とする請求項１２乃至１４のいずれかに記載の電子文書承認システム。
【請求項１６】  物理的承認道具により承認を受付ける承認受付ステップと、
前記承認受付ステップにより承認を受付けると電子文書ファイルに承認情報を埋め込む承認情報生成ステップと、
前記承認情報を埋め込んだ電子文書ファイルから識別情報を取得する識別情報取得ステップとを具備したことを特徴とする電子文書承認方法。
【請求項１７】  前記承認情報を埋め込んだ電子文書ファイルから識別情報を抽出する識別情報抽出ステップと、
前記識別情報取得ステップで取得した識別情報と前記識別情報抽出ステップで抽出した識別情報とを比較して電子文書ファイルに対する改竄の有無を判断する識別情報比較ステップとを具備したことを特徴とする請求項１６に記載の電子文書承認方法。
【手続補正２】
【補正対象書類名】明細書
【補正対象項目名】００３０
【補正方法】変更
【補正の内容】
【００３０】
上述した課題を解決するため、本発明に係る電子文書承認システムに用いられるプログラムは、請求項１１に記載したように、前記改竄検出手段が、前記承認済み電子文書から文書識別情報を抽出する文書識別情報抽出手段と、前記承認済み電子文書から前記承認済み電子文書に埋め込まれた文書識別情報を読み取る文書識別情報読取手段と、前記文書識別情報抽出手段で抽出した文書識別情報と前記文書識別情報読取手段で読み取った文書識別情報とを比較する文書識別情報比較手段と、前記文書識別情報比較手段で比較した文書識別情報が異なる場合に、前記承認済み電子文書に改竄があった旨を通知する改竄通知手段とを備えることを特徴とする。
上述した課題を解決するため、本発明に係る電子文書承認システムは、請求項１２に記載したように、物理的承認道具により承認を受付ける承認受付手段と、前記承認受付手段により承認を受付けると電子文書ファイルに承認情報を埋め込む承認情報生成手段と、前記承認情報を埋め込んだ電子文書ファイルから識別情報を取得する識別情報取得手段とを具備したことを特徴とする。
上述した課題を解決するため、本発明に係る電子文書承認システムは、請求項１３に記載したように、前記承認情報を埋め込んだ電子文書ファイルから識別情報を抽出する識別情報抽出手段と、前記識別情報取得手段で取得した識別情報と前記識別情報抽出手段で抽出した識別情報とを比較して電子文書ファイルに対する改竄の有無を判断する識別情報比較手段とを具備したことを特徴とする。
上述した課題を解決するため、本発明に係る電子文書承認システムは、請求項１４に記載したように、前記承認情報を埋め込んだ電子文書ファイルに前記識別情報を埋め込む識別情報埋込手段を具備したことを特徴とする。
上述した課題を解決するため、本発明に係る電子文書承認システムは、請求項１５に記載したように、前記識別情報は、一方向要約関数に基づく演算によって取得されることを特徴とする。
上述した課題を解決するため、本発明に係る電子文書承認方法は、請求項１６に記載したように、物理的承認道具により承認を受付ける承認受付ステップと、前記承認受付ステップにより承認を受付けると電子文書ファイルに承認情報を埋め込む承認情報生成ステップと、前記承認情報を埋め込んだ電子文書ファイルから識別情報を取得する識別情報取得ステップとを具備したことを特徴とする。
上述した課題を解決するため、本発明に係る電子文書承認方法は、請求項１７に記載したように、前記承認情報を埋め込んだ電子文書ファイルから識別情報を抽出する識別情報抽出ステップと、前記識別情報取得ステップで取得した識別情報と前記識別情報抽出ステップで抽出した識別情報とを比較して電子文書ファイルに対する改竄の有無を判断する識別情報比較ステップとを具備したことを特徴とする。
【手続補正３】
【補正対象書類名】明細書
【補正対象項目名】００４５
【補正方法】変更
【補正の内容】
【００４５】
承認電子化手段４３は、入力された印影データを取得して未承認電子文書に印影情報（印影の画像データおよび印影の画像表示ＰＧの一部）を埋め込む印影情報生成手段４７と、未承認電子文書上の印影の位置を調整する印影位置調整手段４８と、印影情報を埋め込んだ未承認電子文書のファイルをハッシュ関数（一方向要約関数）にかけて、フィンガープリントを取得して、文書識別情報としてのフィンガープリント情報（フィンガープリントおよびフィンガープリントを抽出し、抽出したフィンガープリントと承認電子文書に埋め込まれたフィンガープリントとの比較を行うＰＧの一部）を埋め込む文書識別情報埋込手段４９とを備える。
【手続補正４】
【補正対象書類名】明細書
【補正対象項目名】０１２０
【補正方法】変更
【補正の内容】
【０１２０】
改竄検出手段４５Ａでは、文書識別情報抽出手段５１から抽出したフィンガープリントと、文書識別情報読取手段５２Ａで読み取った最新のフィンガープリントとを文書識別情報比較手段５３で比較する。そして、文書識別情報比較手段５３で比較した結果、文書識別情報抽出手段５１から抽出したフィンガープリントと、文書識別情報読取手段５２Ａで読み取った最新のフィンガープリントとが同じ場合は、現在の承認済みファイルを表示する。
【手続補正５】
【補正対象書類名】明細書
【補正対象項目名】０１２１
【補正方法】変更
【補正の内容】
【０１２１】
一方、文書識別情報比較手段５３で比較した結果、文書識別情報抽出手段５１から抽出したフィンガープリントと、文書識別情報読取手段５２Ａで読み取った最新のフィンガープリントとが異なる場合は、改竄通知手段５４で現在の承認済み電子文書ファイルに改竄があった旨を表示するデータを付加する。